(57)【要約】【課題】    本発明は、縮毛に対してアイロンを当てる場合に、アイロンの効果に段差が生じることがなく、又、頭部に痛みを与えたり、毛髪が抜けたり、切れたりすることがなく、熟練者に頼らずとも仕上りよくストレートパーマをかけることができるストレートパーマ用ヘアアイロンを提供することを課題としている。【解決手段】  本発明のストレートパーマ用ヘアアイロンは、開閉可能に枢着された１対の腕体の先端部に、該腕体の閉・開に伴って近接・離反する毛髪挟持部がそれぞれ形成されたストレートパーマ用ヘアアイロンであって、該毛髪挟持部の少なくとも一方に回転自在のローラが装着され、該ローラの回転軸が腕体の延在方向に存在してなることにより、上記課題を解決する。【選択図】  図１
2005237803.tif 000002
【特許請求の範囲】
【請求項１】
開閉可能に枢着された１対の腕体の先端部に、該腕体の閉・開に伴って近接・離反する毛髪挟持部がそれぞれ形成されたストレートパーマ用ヘアアイロンであって、該毛髪挟持部の少なくとも一方に回転自在のローラが装着され、該ローラの回転軸が腕体の延在方向に存在してなることを特徴とするストレートパーマ用ヘアアイロン。
【請求項２】
上記ストレートパーマ用ヘアアイロンにおいて、毛髪挟持部の少なくとも一方に加熱手段が内蔵されていることを特徴とする請求項１に記載のストレートパーマ用ヘアアイロン。
【請求項３】
上記ストレートパーマ用ヘアアイロンにおいて、毛髪挟持部の一方に、少なくとも一本の回転自在のローラが腕体の延在方向に装着され、もう一方はフラットな表面を持つよう構成されていることを特徴とする請求項１、又は請求項２に記載のストレートパーマ用ヘアアイロン。
【請求項４】
上記ストレートパーマ用ヘアアイロンにおいて、毛髪挟持部のフラットな表面を持つ側に加熱手段が内蔵されていることを特徴とする請求項１乃至請求項３のいずれかに記載のストレートパーマ用ヘアアイロン。
【発明の詳細な説明】
【技術分野】
【０００１】
本発明は、理容店や美容院等で、縮毛を直毛（ストレートヘア）に矯正する際に使用するストレートパーマ用ヘアアイロンに関する。
【背景技術】
【０００２】
従来、ストレートパーマ用ヘアアイロンとしては、例えば、特開平６−４６９１２号公報や特開平６−１８９８１８号公報に記載されたものが知られている。このストレートパーマ用ヘアアイロンは、開閉可能に枢着された１対の腕体の先端部に、この腕体の閉・開に伴って近接・離反する毛髪挟持部がそれぞれ形成され、この両毛髪挟持部には近接状態で互いに噛み合う波形断面の凹凸条が腕体の延在方向に形成されたものとなっている。
【０００３】
又、特開平９−１３２５１５号公報や特開２００１−２１３７４１号公報には、平面状の毛髪挟持部を持つフラット式ヘアアイロンが開示されているが、これらの従来のストレートパーマ用ヘアアイロンは、その使用に際し、１対の腕体を把持し、毛髪挟持部により毛髪を挾圧した状態で、毛元部から毛先部へと滑らせたり、また、毛元部から毛先部に毛髪挟持部を少しずつ移動させながら毛髪に挾圧力を加えたりすることで、毛髪をストレートに矯正していくものである。
【０００４】
ところが、毛髪は個人差が大きく、縮毛の状態も千差万別であるため、毛髪挟持部により毛髪を挾圧した状態で毛元部から毛先部へと滑らせるような使用方法の場合、毛髪が引っ張られることに伴う痛みを頭部に与えたり、毛髪が抜けたり、切れたりするという問題があった。これに対処するには、毛髪に加える挾圧力を弱くして毛髪に加わるテンションを緩めるなどの熟練した作業技術が必要になり、又、毛髪に加える挾圧力を弱くすると、それだけアイロンのかかりが低下し、仕上りに影響するという問題が生じていた。更に、アイロンを滑らせて使用する際は毛髪の流れと逆方向には使用できないという制約もあり、これも熟練した作業技術が要求される要因であった。
【０００５】
アイロンを滑らせず、毛髪挟持部を少しずつ移動させながら毛髪に挾圧力を加える方法のみで使用した場合、アイロンの毛髪挟持部の大きさにもよるが頭髪全体を処理するには長時間を必要とし、且つ、毛髪挟持部の移動の境目は加わる熱や挾圧力が不安定で他の部分とアイロンの効果が違ってきてしまい、そこがまた縮毛の起点になる等の問題があり、この方法においても熟練者に頼らない限り仕上りよくストレートパーマをかけることができなかった。
【特許文献１】特開平６−４６９１２号公報
【特許文献２】特開平６−１８９８１８号公報
【特許文献３】特開平９−１３２５１５号公報
【特許文献４】特開２００１−２１３７４１号公報
【発明の開示】
【発明が解決しようとする課題】
【０００６】
本発明は、上記のような従来の問題を解決するためになされたもので、縮毛に対してアイロンを当てる場合に、アイロンの効果に段差が生じることがなく、又、頭部に痛みを与えたり、毛髪が抜けたり、切れたりすることがなく、熟練者に頼らずとも仕上りよくストレートパーマをかけることができるストレートパーマ用ヘアアイロンを提供することを課題としている。
【課題を解決するための手段】
【０００７】
本発明のストレートパーマ用ヘアアイロンは、開閉可能に枢着された１対の腕体の先端部に、該腕体の閉・開に伴って近接・離反する毛髪挟持部がそれぞれ形成されたストレートパーマ用ヘアアイロンであって、該毛髪挟持部の少なくとも一方に回転自在のローラが装着され、該ローラの回転軸が腕体の延在方向に存在してなることが必要である。
【０００８】
本発明のストレートパーマ用ヘアアイロンは、上記の毛髪挟持部の少なくとも一方に加熱手段が内蔵されていることが好ましい。
【０００９】
又、本発明のストレートパーマ用ヘアアイロンは、毛髪挟持部の一方に、少なくとも一本の回転自在のローラが腕体の延在方向に装着され、もう一方はフラットな表面を持つよう構成されていることが好ましい。
【００１０】
更に、本発明のストレートパーマ用ヘアアイロンは、毛髪挟持部のフラットな表面を持つ側に加熱手段が内蔵されていることが好ましい。
【発明の効果】
【００１１】
本発明のストレートパーマ用ヘアアイロンは、毛髪に対してアイロンを当てる場合に、１対の腕体を把持し、毛髪挟持部により毛髪を挾圧した状態で毛元部から毛先部へと移動させる方法で使用するが、毛髪挟持部の少なくとも一方に、回転自在のローラが装着され、該ローラの回転軸が腕体の延在方向に存在しているため、従来のアイロンのように「面」で抑えるのではなく「線」で連続的に抑えることになり、アイロンの効果に段差が生じることがなく、熟練者に頼らずとも仕上りよくストレートパーマをかけることができる。更に、毛髪挟持部によって毛髪を引っ張ることが従来のアイロンと比べて少ないため、頭部に痛みを与えたり、毛髪が抜けたり、切れたりするといったことがなく、毛元部から毛先部まで均等にアイロンを当てることができる。又、両方の毛髪挟持部をローラで構成した場合、毛髪の流れと逆方向に滑らせることも可能になることから、より効率よくストレートパーマをかけることができるという効果が得られる。
【発明を実施するための最良の形態】
【００１２】
以下、本発明の実施の形態を図面により詳述する。図１は本発明のストレートパーマ用ヘアアイロンの全体斜視図、図２（１）、（２）、（３）、（４）は本発明のストレートパーマ用ヘアアイロンの毛髪挟持部を示す断面図である。
【００１３】
本発明のストレートパーマ用ヘアアイロンＡは、図１に示すように、基端部が軸１０により閉開可能に枢着された一対の腕体１，２を備え、この両腕体１，２の先端部に、この腕体１，２の閉・開に伴って近接・離反する毛髪挟持部３，４がそれぞれ形成されている。腕体１，２の基端部にはバネ手段（図示せず）が内蔵され、該バネ手段により、腕体１，２は軸１０を中心に開方向に付勢されており、ストッパ（図示せず）によって適切な開き角度を維持するよう構成されている。
【００１４】
上記毛髪挟持部３，４は、図２（１）に示されるような、回転自在なローラ３０とフラット面４０より構成され、この毛髪挟持部３，４の少なくともいずれか一方の内部にはヒータ５が組み込まれている。図２（１）には、ヒータ５がフラット面４０を持つ毛髪挟持部４側（腕体２側）に組み込まれている例が示されているが、棒状のヒータがローラ３０よりなる毛髪挟持部３側（腕体１側）に組み込まれていてもよく、両側に組み込まれていても勿論構わない。又、ヒータ５の熱が腕体１，２に伝わらないように腕体１，２の内面に断熱材（図示せず）を装着するのは好ましい実施態様である。
【００１５】
ローラ３０は、その両端を軸受３１で枢支されて回転自在に腕体１に装着されるが、その際、公知のバネ手段を介することで腕体１に対してローラ３０を出没自在に構成してもよく、そうすれば挟持する毛髪の量によって挟持圧力が変動するのを抑えることができ、好ましい。
【００１６】
毛髪にアイロンをかける際は、１対の腕体１，２を把持し、毛髪挟持部３，４により適当な量の毛髪を挾圧した状態で、毛元部から毛先部へと移動させることになるが、この場合、腕体１，２のどちらを下（頭皮側）にするかといった使用上の制約はない。一般的にはフラット面４０を持つ腕体２の方が厚みを薄く形成し易いため、腕体２側を下（頭皮側）にしたほうが操作し易いが、状況に応じて腕体１，２を上下に持ち替えてもよい。
【００１７】
例えば、図２（１）の例では腕体１側（ローラ３０側）は転がり摩擦力、腕体２側（フラット面４０側）は滑り摩擦力を受けながらアイロンが掛かることになるため、アイロンの効果に若干の差異が生じる可能性があるが、くせ毛の矯正にはむしろ好都合な場合があり、腕体１，２を上下に持ち替えて使用することにより、くせ毛の方向に自在に対応することが可能となる。
【００１８】
図２（２）は、前記フラット面４０をロ−ラ３０で置き換え、毛髪を２本のローラで挟持する例を示す。この場合、腕体１，２のどちら側も転がり摩擦であるため、アイロンを掛ける際に毛髪を引っ張る力が特に小さくなり、従って、頭部に痛みを与えたり、毛髪が抜けたり、切れたりするといったダメージを最小にすることが可能である。又、図２（２）の構成であれば毛髪の流れと逆方向に滑らせることも可能なため、より効率よくストレートパーマをかけることができる。図２（２）の例においても、図２（１）の場合と同様に、公知のバネ手段を介して腕体１又は腕体２に対してローラ３０を出没自在に構成すれば、挟持する毛髪の量によって挟持圧力が変動するのを抑えることができ、好ましい。ヒータは、腕体１側でも腕体２側でもよく、両方に装備しても勿論構わない。
【００１９】
図２（３）は、図２（１）の例のローラ３０を、ローラ３０'，３０'に置き換えたもので、より効率のよいアイロン効果を得ることを意図したものである。ヒータ５は、図２（３）に示すようにフラット面４０側（腕体２側）に装備してもよく、ローラ３０'，３０'（腕体１側）に内蔵してもよく、両方に装備しても構わない。
【００２０】
図２（４）は、図２（１）のフラット部４０を、図２（３）のローラ３０'，３０'に置き換えたもので、毛髪は３本のローラで構成される波形の挟持部で挟持されてアイロンがかけられることになり、更に効率のよいアイロン効果を得ることを意図したものである。この場合もヒータは、腕体１側でも腕体２側でもよく、両方に装備しても勿論構わない。
【００２１】
腕体１及び／又は腕体２に内蔵されるヒータ５は、通常の交流電源による電熱ヒータが使用されるが、バッテリー等の直流電源を使用するタイプであってもよく、又、特公昭６２−０３８６０２号公報等に開示されているようなガス式のヒータも使用可能である。特にガス式のヒータを使用すれば電源コードが不要となり、効率よく作業可能となり、好ましい。
【００２２】
以上、本発明の実施の形態を図面により説明したが、具体的な構成はこれに限定されることはなく、例えば、図２（３）のローラ３０'を上下対象に構成してもよく、図２（３）、図２（４）のローラ３０、３０'の数を増やしてもよい。又、ローラの直径、厚み、材質、表面処理といった詳細項目についても特に制限はない。
【産業上の利用可能性】
【００２３】
以上説明してきたように、本発明のストレートパーマ用ヘアアイロンは、毛髪に対してアイロンを当てる場合に、１対の腕体を把持し、毛髪挟持部により毛髪を挾圧した状態で、毛元部から毛先部へと移動させることでストレートに矯正していくことになるが、毛髪挟持部の少なくとも一方に、回転自在のローラが装着され、該ローラの回転軸が腕体の延在方向に存在しているため、従来のアイロンのように「面」で抑えるのではなく「線」で連続的に抑えることになり、アイロンの効果に段差が生じることがなく、熟練者に頼らずとも仕上りよくストレートパーマをかけることができる。更に、毛髪挟持部によって毛髪を引っ張ることが従来のアイロンと比べて少ないため、頭部に痛みを与えたり、毛髪が抜けたり、切れたりするといったことがなく、毛元部から毛先部まで均等にアイロンを当てることができる。又、両方の毛髪挟持部をローラで構成した場合、毛髪の流れと逆方向に滑らせることも可能になることから、より効率よくストレートパーマをかけることができるという効果が得られる。
【図面の簡単な説明】
【００２４】
【図１】本発明のストレートパーマ用ヘアアイロンの全体斜視図である。
【図２】（１）本発明のストレートパーマ用ヘアアイロンの毛髪挟持部の１実施例を示す断面図である。                                                                  （２）本発明のストレートパーマ用ヘアアイロンの毛髪挟持部の別の実施例を示す断面図である。                                                                （３）本発明のストレートパーマ用ヘアアイロンの毛髪挟持部の、また別の実施例を示す断面図である。                                                          （４）本発明のストレートパーマ用ヘアアイロンの毛髪挟持部の、更に別の実施例を示す断面図である。
【符号の説明】
【００２５】
Ａ          ストレートパーマ用ヘアアイロン
１，２      腕体
３，４      毛髪挟持部
５          ヒータ
１０        軸
３０、３０'  ローラ
３１、３１'  軸受
４０        フラット面
【図１】
2005237803.tif 000003
【図２】
2005237803.tif 000004